(57)【要約】本発明は、移動通信サービスのための無線通信システムに関する。より詳細には、本発明は、移動通信サービスのためのセクター化された広いエリアをカバーすることに関する。
2005534217.tif 000002
【特許請求の範囲】
【請求項１】
少なくとも１つの基地局を備える、移動通信サービスのための無線通信システムであって、該基地局が、少なくとも２つのアンテナを備え且つサイトに設置されてエリアをカバーし、該エリアが、前記少なくとも２つのアンテナにより複数のセクターに再分割される無線通信システムにおいて、
前記サイトが、建設地面から少なくとも５０ｍの高さである高い構造物であり、
前記基地局が、建設地面から少なくとも５０ｍの高さである前記サイトに設置され、
前記少なくとも２つのアンテナが、前記サイトの縦軸に対する第１の直交平面上の第１の同心リングに配置される無線通信システム。
【請求項２】
請求項１記載の無線通信システムであって、前記サイトの高さが建設地面から９０〜３２０ｍの範囲内であり、前記基地局が、建設地面から９０〜３２０ｍの範囲内の高さである前記サイトに設置される無線通信システム。
【請求項３】
請求項１又は２記載の無線通信システムであって、各セクターが別個のアンテナによりサービスされる無線通信システム。
【請求項４】
請求項１又は２記載の無線通信システムであって、前記複数のセクターが、１つ又はそれ以上の位相制御アンテナによりサービスされる無線通信システム。
【請求項５】
請求項３又は４記載の無線通信システムであって、少なくとも６つのセクターを備える無線通信システム。
【請求項６】
請求項３又は４記載の無線通信システムであって、少なくとも１２個のセクターを備える無線通信システム。
【請求項７】
請求項３又は４記載の無線通信システムであって、少なくとも２４個のセクターを備える無線通信システム。
【請求項８】
請求項３又は４記載の無線通信システムであって、少なくとも４８個のセクターを備える無線通信システム。
【請求項９】
請求項１〜８のいずれかに記載の無線通信システムであって、１つ又はそれ以上のアンテナが、前記サイトの縦軸に対する第２の直交平面上の第２の同心リングに配置され、前記第２の同心リングが前記第１の同心リングより大きな直径を有する無線通信システム。
【請求項１０】
請求項９記載の無線通信システムであって、前記第１の直交平面が前記第２の直交辺面と同一である無線通信システム。
【請求項１１】
請求項９又は１０記載の無線通信システムであって、前記第２の同心リングのアンテナの数が、前記第１の同心リングのアンテナの数よりも大きい無線通信システム。
【請求項１２】
請求項９〜１１のいずれかに記載の無線通信システムであって、前記第２の同心リングのアンテナの水平角度範囲が前記第１の同心リングのアンテナの水平角度範囲より小さい無線通信システム。
【請求項１３】
請求項１２記載の無線通信システムであって、前記第１の同心リングのアンテナの垂直開口角が８〜１２度の範囲内であり、望ましくは１０度である無線通信システム。
【請求項１４】
請求項１２又は１３記載の無線通信システムであって、前記第２の同心リングのアンテナの垂直開口角が３〜６．５度の範囲内であり、望ましくは５度である無線通信システム。
【請求項１５】
請求項１１〜１４のいずれかに記載の無線通信システムであって、前記エリアが、前記第１の同心リングのアンテナにより２４個のセクターに再分割され、前記第２の同心リングのアンテナにより７２個のセクターに再分割される無線通信システム。
【請求項１６】
請求項１〜１５のいずれかに記載の無線通信システムであって、１つ又はそれ以上のセクターの形状及び／又はサイズが、１つ又はそれ以上のアンテナをオン又はオフに切り換えることにより変化させられ得る無線通信システム。
【請求項１７】
請求項１〜１５のいずれかに記載の無線通信システムであって、１つ又はそれ以上のセクターの形状及び／又はサイズが、１つ又はそれ以上のアンテナの水平角度範囲を変更することにより変化させられ得る無線通信システム。
【請求項１８】
請求項１〜１５のいずれかに記載の無線通信システムであって、１つ又はそれ以上のセクターの形状及び／又はサイズが、１つ又はそれ以上のアンテナの垂直開口角を変更することにより変化させられ得る無線通信システム。
【請求項１９】
請求項１〜１８のいずれかに記載の無線通信システムであって、少なくとも１つのアンテナが、前記サイトに近接する区域にあるエリアをカバーするよう前記サイトの縦軸に対する第３の直交平面上に配置され、前記第３の直交平面が５０ｍの高さより下に位置する無線通信システム。
【請求項２０】
請求項１〜１９のいずれかに記載の無線通信システムであって、前記エリアをカバーするために必要とされるセクターの総数が、各セクターのサイズと、各セクターにおいて必要とされる電界強度との関数として算出される無線通信システム。
【請求項２１】
請求項１〜２０のいずれかに記載の無線通信システムであって、全てのアンテナが単一の周波数で動作する無線通信システム。
【請求項２２】
請求項２１記載の無線通信システムであって、異なる周波数で動作する従来の基地局が、ローカルの大量のトラフィックを処理するために前記エリア内に設置される無線通信システム。
【請求項２３】
無線通信システムで利用される基地局であって、該基地局が、少なくとも２つのアンテナを備え且つサイトに設置されてエリアをカバーし、該エリアが、前記少なくとも２つのアンテナにより複数のセクターに再分割される基地局において、
前記サイトが、建設地面から少なくとも５０ｍの高さである高い構造物であり、
前記基地局が、建設地面から少なくとも５０ｍの高さである前記サイトに設置され、
前記少なくとも２つのアンテナが、前記サイトの縦軸に対する第１の直交平面上の第１の同心リングに配置される基地局。
【請求項２４】
移動通信サービスのための無線通信システムで利用される基地局において利用されるアンテナであって、前記基地局が、サイトに設置されて、複数のセクターに再分割されるエリアをカバーし、該セクターのうちの少なくとも１つが前記アンテナによりサービスを受けるアンテナにおいて、
前記サイトが、建設地面から少なくとも５０ｍの高さである高い構造物であり、
前記基地局が、建設地面から少なくとも５０ｍの高さである前記サイトに設置され、
前記アンテナ及び少なくとも１つの他のアンテナが、前記サイトの縦軸に対する第１の直交平面上の第１の同心リングに配置されるアンテナ。
【請求項２５】
移動通信サービスのための無線通信システムを含む移動ネットワークであって、少なくとも１つの基地局を含み、該基地局が少なくとも２つのアンテナを含み且つサイトに設置されてエリアをカバーし、該エリアが前記少なくとも２つのアンテナにより複数のセクターに再分割される移動ネットワークにおいて、
前記サイトが、建設地面から少なくとも５０ｍの高さである高い構造物であり、
前記基地局が、建設地面から少なくとも５０ｍの高さである前記サイトに設置され、
前記少なくとも２つのアンテナが、前記サイトの縦軸に対する第１の直交平面上の第１の同心リングに配置される移動ネットワーク。
【発明の詳細な説明】
【技術分野】
【０００１】
発明の分野
本発明は、移動通信サービスのための無線通信システムに関する。より詳細には、本発明は、移動通信サービスのためのセクター化された広いエリアをカバーすることに関する。
【０００２】
発明の背景
移動通信ネットワークは、無線ネットワーク部と、固定されたコア・ネットワーク部とから成ることが知られている。無線ネットワーク部は、エリア内の移動局が基地局と無線で通信できるようにすることにより、エリアにサービスを行う。基地局は、固定のコア・ネットワーク部に接続される。
【０００３】
「Review of the Electrical Communication Laboratory」第１６巻（１９６８年）の３５７〜３７３ページに掲載されたK. Akariの「国全体の移動無線システムの根本的課題（Fundamental problems of nation-wide mobile radio systems）」、及び、「The Bell System Technical Journal」第５８巻（１９７９年）の１５〜４１ページに掲載されたV. H. MacDonaldの「セルの概念（The Cellular Concept）」においては、サービスされるエリアは、セルと呼ばれる同型の六角形に細分され、基地局はセルの中心に設置される。最も単純な場合において、信号はこのセンターから全方向性アンテナを介して送信される。今日では、通常、３セクター化が利用される。即ち、セルは、基地局に固定されたそれぞれが１２０度の開口角を有する別個のアンテナにより、３つのセクターに再分割される。個々のセクターは、ある一定の能力を有する。即ち、セクター内の無線周波数搬送波ごとに、同時にサービスを受けることができる移動体端末の平均最大数が存在する。
【０００４】
本来の均質なセルの概念は、幾つかの方面において一般化されている。半径を小さくすること（セル分割）により、異なるトラフィック密度にセル・サイズを適応させることは、既に「セルの概念」に記載されている。
【０００５】
「Nachrichtentechnische Zeitschrift」の第３１巻（１９７８年）の１９２〜１９６ページに掲載されたR. W. Lorenzの「移動無線のための小区域ネットワーク（Kleinzonennetze fur den Mobilfunk）」では、いくつかの無線ネットワークで見られるように、セルをそれぞれ６０度ずつの６つのセクターに再分割することが提案されている。「Proc. 33rd IEEE Vehicular Technology Conference」（１９８３年）の３２２〜３２７ページに掲載されたS.W.Halpernの「セルラー・システムにおける再利用分割（Reuse partitioning in cellular systems）」では、全方向の且つ３セクター化されたシステムが、同心リングに再分割される。この概念は、その後、ＧＳＭシステムの「インテリジェント・アンダーレイ・オーバーレイ」特性という形で、ノキア社により技術的に実現された。この概念の特徴は、それぞれの同心リングに同数のセクターを設けることである。
【０００６】
実際には、関連文献における幾何学的に理想的な形状からの、多少の実質的なずれが存在する。これは、地形、トラフィック、及び、基地局が理想的ではない位置にあることによる六角形構造の歪んだ形の捕捉に起因するものである。しかしながら、基地局は、原則として、基地局によるサービスを受けるエリアの中心に設置され、エリアを最大６つのセクターに再分割する。
【０００７】
基地局は、地表面に対して比較的低く、即ち５０ｍより下に保たれる。高い基地局は、上記の理論に適用した場合に望ましくない高い干渉をもたらすため、考慮されていない。
全方向性アンテナは、今日ではめったに利用されない。例えば道路や鉄道などの直線的なカバレッジに対しては、２つのセクター分けが利用される。
【０００８】
ドイツ特許出願公開第１０００６６２１Ａ１号により、アンテナがｚ軸に関する回転対称形でもよいことが知られている。この単一のアンテナでは、セクター化されたセルを、例えばＧＳＭ、ＴＤＭＡ、ＣＤＭＡ及びＵＭＴＳのような既存の標準に従って作り出すことは不可能である。
【０００９】
日本国特許公開第２００２−１８６０１８号により、拡散スペクトル通信システムにおいてトラフィック・チャネルのセクター化を動的に変化させるシステム及び方法が知られている。この方法は、拡散スペクトル・セル通信システム内のユーザ分布の変化に応じてトラフィック・チャネルの集中度を変化させることを可能とするが、エリア内に無線カバレッジを作り出す方法は提供していない。
【００１０】
日本国特許公開第２００２−１０７４３９号により、到来方向推定装置が８つの指向性アンテナを有し得ることが知られているが、これらのアンテナは、エリア内に無線カバレッジを作り出すのには適していない。
【００１１】
ＵＭＴＳ免許の取得は、通信会社のリソースに対する大きな負担となってきた。少なくとも大都市をカバーする拡張ＵＭＴＳ無線ネットワークを迅速に構築する必要があるが、基地局を設置するための適切な用地が不足しており、存在する用地に対する事後の交渉にもかなりの問題がある。また、他の参加者との必要な調整や、無線ネットワークの頻繁に繰り返される再検討のために、相当な時間のロスが起こっている。
【００１２】
そのため、ＵＭＴＳ無線ネットワークの構築は、非常に遅いペースで、且つ多大な費用をかけなければ実現しない。その上、カバレッジの穴を多く含むネットワークが生ずることが予想される。
【００１３】
課題の定義
移動通信サービスのための無線通信システムの構築は、広大なエリアをカバーするために多くの基地局が必要とされるために、時間及びコストがかかる。
【００１４】
発明の目的
本発明の目的は、比較的迅速且つ経済的に任意のサイズ及び／又は形状のエリア（例えば、町全体又は国）をカバーする移動通信サービスのための無線通信システムであって、カバーされるエリアにおける能力を比較的容易に変更可能なシステムを構築することである。
【００１５】
発明の概要
本発明は、比較的迅速且つ経済的に、任意のサイズ及び／又は形状のエリア（例えば、町全体又は国）をカバーする移動通信サービスのための無線通信システムであって、カバーされるエリアにおける能力を比較的容易に変更可能なシステムを構築できる方法を提供する。本発明は、例えばＧＳＭ、ＴＤＭＡ、ＣＤＭＡ及びＵＭＴＳのような、セクター化されたエリアを用いる任意の無線通信ネットワークに適用可能である。
【００１６】
本発明の１つの態様によれば、少なくとも１つの基地局を備える、移動通信サービスのための無線通信システムが提供される。基地局は少なくとも２つのアンテナを備え、サイトに設置される。基地局は、アンテナにより複数のセクターに再分割されたエリアをカバーする。例えば、少なくとも６個、少なくとも１２個、少なくとも２４個又は少なくとも４８個のセクターが存在し得る。
【００１７】
各セクターは別個のアンテナによりサービスされ、又は、複数のセクターが１つ又はそれ以上の位相制御アンテナによりサービスされ得る。
エリアをカバーするために必要とされるセクターの総数は、各セクターのサイズ及び各セクターで要求される電界強度の関数として算出され得る。
【００１８】
サイトは、建築地面から少なくとも５０ｍ、可能であれば９０〜３２０ｍの高さを有する高い構造物である。高い構造物は、例えば塔、煙突、ラジオ塔、超高層ビル、または決まった地点に浮遊する飛行船であり得る。基地局は、そのようなサイトの少なくとも５０ｍ、可能であれば９０〜３２０ｍの範囲の高さに設置される。高いサイトを利用して複数のセクターを作り出すことにより、移動通信サービスのための広いエリアをカバーすることができるという利点がある。アンテナと移動体端末との間に明瞭な信号が存在するため（基地局が高い位置にあるために移動体端末周辺のビルによる干渉がなく、また、干渉する周辺の基地局も存在しないために、信号は明瞭である）、また、中継利得が高いために（セクターの数が多いため、アンテナは利得の高い小さなビームを用いる）、都市部においても、高いサイトにある基地局により広いエリアがカバーされ得る。
【００１９】
アンテナは、サイトの縦軸に対する第１の直交平面上の第１の同心リングにおいて配置される。アンテナは、また、サイトの縦軸に対する第２の直交平面上の第２の同心リングにおいてにも配置され得、第２の同心リングは第１の同心リングより大きな直径を有し得る。２つの同心リングを利用することにより、地表面での十分な電流密度と、カバーされるエリアにおける十分な能力とを保証しながら、極めて稠密なセクター化ができるという利点がある。第１の直交平面は第２の直交平面と同一であり得る。第２の同心リングのアンテナの数は、第１の同心リングのアンテナの数より大きくなり得る。第２の同心リングのアンテナの水平角度範囲は、第１の同心リングのアンテナの水平角度範囲より小さくなり得る。第１の同心リングのアンテナの垂直開口角は８〜１２度の範囲内であり、好ましくは１０度であり得る。第２の同心リングの垂直開口角は３〜６．５度の範囲内であり、好ましくは５度であり得る。これらの設定を用いることにより、（セクターごとの送信電力が１０Ｗであると想定した場合）カバーされるエリア全体において、−２１ｄＢｍ／平方メートルという比較的均一な電流密度が達成され得るという利点がある。もう１つの利点は、携帯電話機において、この電流密度は−４９ｄＢｍのレベルに対応し、これは、屋内のカバレッジにも十分であることである。
【００２０】
エリアは、第１の同心リングにおけるアンテナにより２４個のセクターに再分割され、第２の同心リングにおけるアンテナにより７２個のセクターに再分割され得る。１つ又はそれ以上のセクターの形状及び／又はサイズは、１つ又はそれ以上のアンテナをオン又はオフに切り換え、１つ又はそれ以上のアンテナの水平角度範囲を変更し、或いは、１つ又はそれ以上のアンテナの垂直開口角を変更することにより変化させられ得る。
【００２１】
サイトの周辺区域のエリアをカバーするために、少なくとも１つのアンテナが、サイトの縦軸に対する第３の直交平面上に配置され得る。第３の直交平面は、５０ｍの高さより下に配置されなければならない。
【００２２】
全てのアンテナは、単一の周波数で動作する。ローカルの大量のトラフィックを処理するために、異なる周波数で動作する従来の基地局がエリア内に設置されてもよい。
また、移動通信サービスのための無線通信システムにおいて利用される基地局であって、上記の特徴のうちの任意のものを備える基地局が提供される。
【００２３】
また、移動通信サービスのための無線通信システムにおいて利用される基地局で利用されるアンテナであって、上記の特徴のうちの任意のものを備えるアンテナが提供される。
また、移動通信サービスのための無線通信システムを含む移動ネットワークであって、上記の特徴のうちの任意のものを備える移動ネットワークが提供される。
【００２４】
本発明が任意のサイズ及び／又は形状のエリア（例えば、町全体又は国）のカバレッジを可能とし、カバーされるエリアの能力が比較的容易に変更可能であることに加えて、その他の利点も存在する。
【００２５】
本発明の大いなる利点は、（異なる基地局が異なる伝播経路を有することに起因する干渉問題や、障害物による経路損失のない）均質なネットワークを構築し、各セクターにおいて高い伝送能力を達成し得ることである。セクターの端は重なり合うため、マクロダイバーシティの助けにより電力の損失を補償することが可能であり、良好且つソフトなハンドオーバーが達成され得る。
【００２６】
もう１つの利点は、集中化されたサイト、即ち、上記の通り広いエリアをカバーし得る高いサイトを利用することにより、固定のコア・ネットワークに接続される必要のある基地局の数が少なくなるために、固定のコア・ネットワークをかなり削減できることである。また、構築及びメンテナンスの時間及びコストも節約することができ、大規模電源及びケーブルを共有することで、相乗効果による節約もなされる。集中化されたサイトにおける基地局の構築は「一夜のうちに」完成され得るため、広域且つ均質な隙間のないネットワークが直ちに利用可能であることによる競争上の優位性が生じる。
【００２７】
発明の詳細な説明
本発明は、図面に示される例としての実施の形態を参照して、より詳細に説明される。
本発明を教示するため、本発明に係る方法及びシステムの望ましい実施の形態を以下に説明する。当業者にとって明らかであるように、本発明の真の趣旨と、最終的に特許される特許請求の範囲によってのみ限定される本発明の範囲とを逸脱することなく、本発明の他の代わりの均等な実施の形態が考え出され、実施される。
【００２８】
本発明に係る無線通信システムは、稠密にセクター化されたシステムの一つのサイトから、例えば町全体又は国のような広いエリアをカバーすることを可能とする。これは、実質的に、背景において記載された全ての問題を回避することを助ける。
【００２９】
集中化されたサイト、即ち、上記の通りの広いエリアをカバーし得る高いサイトを利用することにより、固定のコア・ネットワークに接続される必要のある基地局の数が少なくなるために、固定のコア・ネットワークのかなりの削減につながる。また、構築及びメンテナンスの時間及びコストも節約することができ、大規模電源及びケーブルを共有することで、相乗効果による節約もなされる。
【００３０】
集中化されたサイトにおける基地局の構築は「一夜のうちに」完成され得るため、広域且つ均質な隙間のないネットワークが直ちに利用可能であることによる競争上の優位性が生じる。
【００３１】
本発明は、例えばＧＳＭ、ＴＤＭＡ、ＣＤＭＡ及びＵＭＴＳのような、セクター化されたエリアを利用する任意の無線通信ネットワークに適用可能である。以下の記述では、例としてＵＭＴＳを用いる。
【００３２】
ＵＭＴＳ無線通信システムは、建設地面から少なくとも５０ｍ、望ましくは９０〜３２０ｍの高さを有する既存のＴＶ塔を用いて実現され得る。例として、ＴＶ塔は２８０ｍの高さを有する。
【００３３】
この実施の形態では、地表面において十分な電力密度を達成し、カバーされるエリアにおいて十分な能力を得るために、セクター化は稠密でなければならない。これは、アンテナの２つのリングを利用することにより達成される。外側のリングは、円形の表面がより高い位置にあり、距離が増加すると地表面が二次的に増加することにより、より高い密度でセクター化される。内側のリングは、２４個のセクターを画定する２４個のアンテナを備え、各セクターが１５度の水平角度範囲を有する。外側のリングは、７２個のセクターを画定する７２のアンテナを備え、各セクターが５度の水平角度範囲を有する。利得の高い小さなビームを作り出すことができるアンテナが利用される。内側のアンテナの垂直開口角は１０度でなければならず、約１０度の傾きで１〜３．２ｋｍの範囲の距離をカバーする。外側のアンテナの垂直開口角は５度でなければならず、約２．５度の傾きで３．２〜６．４ｋｍの範囲の距離をカバーする。この構成において、各セクターは、（内側又は外側のアンテナから）１．３３平方ｋｍのエリアをカバーする。
【００３４】
これは、（セクター当りの送信電力が１０Ｗであるときに、）カバーされるエリア全体に、２１ｄＢｍ／平方メートルの比較的均一な電力密度を生じさせる。携帯電話機（０ＤＢｉのアンテナ）において、これは、（視野方向を想定した場合に）−４９ｄＢｍのレベルに相当する。このレベルで、十分な屋内カバレッジを達成することも可能である。本発明の利点は、この例において利用されているように、（異なる基地局が異なる伝播経路を有することに起因する干渉問題や、障害物による経路損失のない）均質なネットワークが構築でき、各セクターにおいて高い送信能力を達成できることである。全ての移動体端末を十分な能力でカバーするために必要とされるセクターの数は、セクターの大きさ及び要求される電界強度に左右される。セクターの端は重なり合うため、マクロダイバーシティの助けにより電力の損失を補償することが可能であり、良好でソフトなハンドオーバーが達成され得る。従来の移動通信無線ネットワークにおいて必要とされた個々の近隣セル計画は、単純な分類学に置き換えられ得る。即ち、内側のリングからの１つのセクターに対しては最大７個のセクターが隣接し、外側のリングからの１つのセクターに対しては最小３個（及び／又は４個）のセクターが隣接する。
【００３５】
この実施の形態において、システムは、全てが単一の周波数で動作するアンテナを利用しなければならない。これは、約５０，０００の顧客（ＵＭＴＳチャネル当り同時に１０個のアプリケーションであり、９６個のセクターであり、顧客ごとに２０ミリ・アーランである）が考えられ得ることを意味しており、この数は、初期のＵＭＴＳネットワークにとって十分である。
【００３６】
将来的な能力への要望もまた、保証されている。セクターは、アンテナをオン又はオフに切り換えてセクター全体を使用可能化又は使用不可能化し、或いは、アンテナの水平角度範囲及び／又は垂直開口角及び／又は傾きを変更することにより、その能力を変化させるよう変更され得る。セクター内のトラフィックが特に重い場合、距離（遅延時間から計算される）だけでなく角度が知られているため、このトラフィックの発生元が極めて正確に決定され得る。その結果、この「ホットスポット」に局所的にサービスを提供する基地局を備えるＵＭＴＳサイトが、第１の周波数とは異なる第２の周波数で構築されることが可能である。利点は、「ホットスポット」の位置に関して予測する必要がなく、これらがかなり具体的に決定され得ること、及び、更なる基地局がその場所にのみ構築されることである。
【００３７】
高いサイト（高いとは、建設地面から少なくとも５０ｍの高さであると定義される）を利用し、複数のセクターを作成することにより、移動通信サービスのための広いエリアをカバーすることが可能である。アンテナと移動体端末との間に明瞭な信号が存在するため（基地局が高い位置にあるために移動体端末周辺のビルによる干渉がなく、また、干渉する周辺の基地局も存在しないために、信号が明瞭である）、また、中継利得が高いために（セクターの数が多いため、アンテナは利得の高い小さなビームを用いる）、都市部においても、高いサイトにある基地局により広いエリアがカバーされ得る。
【００３８】
図１に示す塔１は、少なくとも５０ｍであり、好ましくは約９０〜３２０ｍである高さＨを有する。塔の代わりに、例えば煙突、ラジオ塔、超高層ビル、又は決まった位置に浮遊する飛行船であるがそれらに限られない任意の高い構造物が利用され得る。建設地面２から距離Ｄのところに、それぞれがセクターを画定するアンテナの少なくとも１つのリング３が配置される。距離Ｄは、５０〜４５０ｍの範囲内でなければならない。リング３は塔の頂上に設置されてもよく、その場合には距離Ｄは高さＨと等しくなる。
【００３９】
図２の実施の形態において、外側のリング４と内側のリング５との、アンテナの２つのリングが設けられる。内側のリング５は、アンテナの２４個のセクター６を有し、各セクターは１５度の水平角度範囲を備える。外側のリング４は、７２個のセクター７に再分割され、各セクターは５度の水平角度範囲を備える。一般に、６つのセクターを画定する少なくとも６つのアンテナを利用する場合、リングが１つのみのアンテナを利用することも可能である。
【００４０】
内側のアンテナの垂直開口角は１０度であり、約１０度の傾きで１〜３．２ｋｍの範囲の距離をカバーする。外側のアンテナの垂直開口角は５度であり、約２．５度の傾きで３．２〜６．４ｋｍの範囲の距離をカバーする。
【００４１】
従って、セクター６又は７（内側又は外側）のそれぞれは、約１．３３平方ｋｍのエリアをカバーする。
図３において、建設地面２に設置されるもう１つの高いサイト１が示される。２個又はそれ以上のアンテナが、高いサイト１の縦軸５に対する直交平面４上の同心リング３に配置され得る。アンテナは、高いサイトの外側に接続されても、高いサイトの周りに置かれるフレームに接続されてもよく、又は、アンテナを同心リングとして配置する任意の他の構成が利用され得る。
【図面の簡単な説明】
【００４２】
【図１】図１は、塔の形態である高いサイトを側面図で示す。
【図２】図２は、セクター化された配置において、互いに同心の関係に配置された２つのアンテナのリングを有する塔の平面図を示す。
【図３】図３は、もう１つの高いサイトを側面図で示す。
【図１】
2005534217.tif 000003
【図２】
2005534217.tif 000004
【図３】
2005534217.tif 000005
【国際調査報告】
2005534217.tif 000006
2005534217.tif 000007
2005534217.tif 000008
2005534217.tif 000009